(57)【要約】 【課題】高効率、高性能、広いデザイン自由度  の実用性の高い平面スピーカーの構造。【解決手段】一本の帯状の導体を、四角形状の磁極の集合体からなる磁路に沿ってジグザグに折り曲げることで、ボイスコイルを形成する。一つの四角形の四辺の巻き方向は同じで、相隣りあう四角形の巻き方向が互いに逆となるよう、ジグザグコイルを形成する。ジグザグコイルの四角形に収まる、四角形状の磁極群を、一枚の磁性体の平板の上に配置する。相隣りあう磁極が逆極性となるよう配置するかまたは着磁する。【選択図】図１
2013187661.tif 000002
【特許請求の範囲】
【請求項１】
帯状の導体をコイル材料とし、
コイル材料の一端を巻き始めとし、他の一端を巻き終わりとし、
コイル材料を｛隣りあう辺が直角をなすジグザグ状に折り曲げた｝ものをジグザグコイルとし、
ジグザグコイルをボイスコイルとすることを第1の特徴とし、
隣接する｛四辺または三辺または二辺｝のいずれかが形成するジグザグコイルの最小単位をコイルユニットとし、
複数種類のコイルユニットのうち、｛隣接する三辺が連続するコイル材料であって、他の一辺が同一コイル材料ではあるが、連続している三辺とは連続していないコイルユニット｝を内部コイルユニットとし、
コイルユニットのうち内部コイルユニットでないものを外部コイルユニットとし、
ジグザグコイルを巻き終えた状態で、ジグザグが規則正しく並んでいる状態が見える方向の片側面を上面とし、
上面から見て、反時計回りの回転方向を左回りとし、その逆方向を右回りとし、
複数の内部コイルユニットのうち、巻き始めから巻き終わりに向かう方向が左回りであるグループを｛左巻き内部コイルユニット｝とし、
複数の内部コイルユニットのうち、巻き始めから巻き終わりに向かう方向が右回りであるグループを｛右巻き内部コイルユニット｝とし、
複数の外部コイルユニットのうち、巻き始めから巻き終わりに向かう方向が左回りであるグループを｛左巻き外部コイルユニット｝とし、
複数の外部コイルユニットのうち、巻き始めから巻き終わりに向かう方向が右回りであるグループを｛右巻き外部コイルユニット｝とし、
ジグザグコイルが｛左巻き内部コイルユニットと右巻き内部コイルユニット｝と｛左巻き外部コイルユニットと右巻き外部コイルユニット｝の双方から構成されていることを第2の特徴とし、
上記第1と第2の特徴を有するボイスコイル。
【請求項２】
請求項１のジグザグコイルの一個のコイルユニットの内部空間に収まって高磁束密度の磁気ギャップを作る磁性材料を磁極とし、
ジグザグコイルのすべてのコイルユニットに磁極が収まるよう磁極が配置されていることを第３の特徴とし、
ジグザグコイルの外形寸法と｛同じかまたはほぼ同じサイズ｝の一枚の板状の磁性材料を平面磁路とし、
平面磁路と各磁極を磁気的に結合する柱状の磁路を垂直磁路とし、
それぞれの磁極が、それぞれの垂直磁路と平面磁路を介して磁気的に結合された構造体を｛組み磁気回路｝とし、
｛組み磁気回路｝を構成するところの｛平面磁路と垂直磁路と磁極｝の内、｛少なくともいずれか一種類、もしくは二種類、もしくは全て｝が永久磁石の材料から作られていることを第４の特徴とし、
相隣りあう磁極間の隙間に、請求項１のジグザグコイルが挿入された状態で、｛磁化された磁極による磁極間の磁束の方向｝と｛ジグザグコイルの巻き方向｝が垂直に交差するよう、｛組み磁気回路｝の磁極が配列されていることを第５の特徴とし、
上記第3と第４と第５の特徴を有する磁気回路。
【請求項３】
請求項２に定義する｛組み磁気回路｝の平面磁路において、隣りあう垂直磁路の間に空気の流通穴を設けたことを第６の特徴とする磁気回路。
【請求項４】
｛請求項２または請求項３｝に定義する｛組み磁気回路｝に関して、平面磁路に垂直磁路が組み立てられ、垂直磁路に磁極が組み立てられた状態の、それぞれの磁極に対応して、着磁用の｛電流コイルと磁路｝を配置し、
相隣りあう磁極が互いに逆磁極となるよう、｛磁極、垂直磁路、平面磁路｝の内、｛いずれか一種類、または、いずれか二種類、または全種類｝の磁性体を着磁すべく、｛着磁用電流コイルに着磁電流を流し着磁する工程｝を有することを第７の特徴とする、着磁方法と、その着磁方法によって着磁された磁気回路。
【請求項５】
請求項１のジグザグコイルの帯状導体が複数の導体によって構成され、複数の導体が直列に接続されていることを第８の特徴とするジグザグコイル。
【請求項６】
請求項１または請求項５に定義するジグザグコイルの両端の、それぞれの端に近い部分が、｛｛帯の方向に45度の角度を成す折り目｝によって、コイル材料の面に対し、１８０度の角度で折り曲げ｝部を有し、かつ、｛その折り曲げ部の直近が、｛帯の方向に90度の角度を成す折り目｝によって90度の角度で曲げ｝部を有することを第９の特徴とし、
帯状コイルの両端に電流を流すためのリード線接続用の電極を有することを第１０の特徴とし、
第９と第１０の特徴を有するジグザグコイル。
【請求項７】
請求項１または請求項５または請求項６に定義するジグザグコイルの上面から見て、｛四角形の集りからなる格子状のエッジ｝に合わせた溝を有する板を｛格子溝付きボイスコイル固定用振動板｝とし、
｛格子溝付きボイスコイル固定用振動板｝の溝が、ボイスコイルの格子状のエッジに｛はめ込まれて、接着された｝状態でジグザグコイルの寸法と形状を安定化する機能を持つことを第１１の特徴とし、
第１１の特徴を有する振動板
【請求項８】
請求項１または請求項５または請求項６に定義するジグザグコイルが、請求項７に定義する｛格子ガイド付きボイスコイル固定用振動板｝に装着され接着されたことを第１２の特徴とするボイスコイル
【請求項９】
｛請求項１または請求項５または請求項６または請求項８｝に定義するボイスコイルを有することを第１３の特徴とし、
｛請求項２または請求項３または請求項４｝に定義する磁気回路を有することを第１４の特徴とし、
第１３と第１４の特徴を有する｛スピーカーのドライバー｝または｛スピーカー｝または｛スピーカーを有する音響再生装置｝。
【発明の詳細な説明】
【技術分野】
【０００１】
請求項を含む全文を通じ、｛｝内の内容は｛｝外の内容に優先して意味を持つものとする。
請求項で定義した用語は明細書でも同様とする。
理想的な平面スピーカー
そのボイスコイル
その磁気回路
【背景技術】
【０００２】
平面スピーカーで重要なのは｛駆動力の確保｝と｛振動板の剛性の確保｝である。
駆動力の確保は比較的容易であるが、広い平面の高い剛性の振動板は｛素材の選択や形状設計｝の点で難しい課題が多い。
平面スピーカーの磁気回路の設計は駆動力を必要とする場合、高い磁束密度が必要なことから、永久磁石の性能もさることながら、磁磁路の材料の厚みを必要とし、厚みと性能は常にトレードオフの関係にある。
【発明の開示】
【発明が解決しようとする課題】
【０００３】
本案発明は、駆動力が平面上に分布するスピーカーの構造に関する。
次の第１と第２と第3の課題がある。
【０００４】
第１の課題は、平面状に駆動力が分布した面駆動に関し、広い周波数範囲にわたり、高い線形性で、強い駆動力の確保。
【０００５】
第２の課題は、高効率の面駆動。
全平面にわたり、｛高密度に分布するコイル｝と｛コイルと交差するところの｛高密度に分布する｛強い磁束密度｝｝｝と｛｛磁気回路中にあるコイルのインダクタンス成分｝の最小化｝。
【０００６】
第３の課題は、生産性。
｛高効率の｛磁気回路、磁路の構造、磁極の構造｝｝、磁気回路の磁気ギャップの形状と巻き線技術、組み立て方法。
以上、第１と第２と第３の課題は常にトレードオフの関係にある複数の要因を包含して解決しなければならない。そのためには、トレードオフ条件の限界範囲を広げ、商品デザインや商品企画の要求に対応できなければならない。
【課題を解決するための手段】
【０００７】
第1の課題に対し、
帯状の導体を四角形状のジグザグ状に折り曲げた構造のコイルを使う。
｛ジグザグ状のコイルの、相隣りあう四角形のコイルユニット｝の巻き始めから巻き終わりに向かう巻き方向が互いに逆となるよう構成する。ジグザグ状の、各々の四角のブロックには、磁極を設け、相隣りあう磁極が逆極性となるよう、着磁する。
【０００８】
第２の課題に対し、
小さい磁石を分布させることで、一個一個の駆動力は小さいものの、一個一個の磁気回路の磁気ギャップの磁束密度を効率よく高密度にする。
【０００９】
第３の課題に対し、
ジグザグ状のコイルは、回転式の巻き線機ではなく、プレス機で作る。ジグザグコイルの弱点であるジグザグ形状の安定化については、振動板にジグザグのエッジをはめ込む溝を設け、ジグザグコイルと振動板を一体化する。
【発明の効果】
【００１０】
以下の第１から第９の効果がある。
第１に、平面状に駆動力が分布した面駆動。
相隣りあうコイルの巻き方向と、相隣りあう磁極が逆極性であることから、コイルに流す電流により発生する力は、すべてのコイルユニットにおいて同じ方向となる。単位面積あたりのコイルユニットの個数を増やすことで、実用上理想的なレベルにまで駆動力を平面状に分布させることができる。薄形構造に関しては、理想に近い面駆動であることから、振動板の面積を増やすことで、振動板の材質に課される剛性の確保の問題から解放される。面積や面形状については再生特性を犠牲にすることなく自在に設計できる。振動板の放射面積を大きくし、振動のストロークを小さくできるので、薄形に適した手法である。さらに、磁性部品が小さいことから、磁気ギャップの磁束密度を高く設計しても、局部的な最大磁束が小さいことから、再生性能を犠牲にすることなく磁気回路を極限まで薄くすることが可能である。
【００１１】
第２に、全平面にわたり、｛コイルの分布｝と｛コイルと交差するところの｛強い磁束密度の領域の分布｝｝を高密度にすることで、強い駆動力を得ることができる。
さらに、相隣りあう磁極に対応するコイルの巻き方向が互いに逆であることから、｛相隣りあうコイルユニット間の｛｛相互インダクタンス成分｝と｛コイルが動くことによる逆起電力成分｝｝の両者｝とも相殺され、エネルギー変換効率が高くなる。特に相互インダクタンス成分の相殺は、周波数の高い領域における変換効率を著しく改善できる。
【００１２】
第３に、プレス工程によるコイルの生産を可能とする。
同一面積内でのコイルの長さを、組み磁気回路の周囲の長さより大幅に長くすることができることから、要求仕様に見合ったコイル設計が可能であり、選択範囲が広くなる。
【００１３】
第４に、ジグザグの密度を高くすることで、同一面積内でのコイル長を大幅に長くとることができ、電気から音響へのエネルギー変換効率の大幅な改善を図ることができる。
【００１４】
第５に、コイルを面状に分散させることができることから、銅損による発生熱を分散させることができ、結果局部的な温度上昇による入力電力の限界を広げることができる。
【００１５】
第６に、駆動力を面分布させることができることから、音響放射面の形状を自在に選択することができる。
【００１６】
第７に、面分布状に駆動力を分散できることから、振動板の面積が広くても振動板の曲げ強度を高くする必要がない。従って、同じ音圧を得る場合、振動面積を増やし、振動振幅が小さくても済むよう設計できる。このことは特に低音再生能力に優れた、しかも商品の外観デザイン優先に伴って要求される形状の適応範囲が大幅に広くなり、高性能の薄形スピーカーを自在に設計できる。
【００１７】
第８に、単位磁極あたりの総磁束を小さくできることから、平面磁路を薄形に設計できる。面積を広くとることで振動振幅を小さくできる効果と相まって、外観デザインの自由度を高める。
【００１８】
第９に、多数の｛小さくて同一寸法｝磁性体部品は電子回路組み立て工程に使われている面実装の技術や設備を流用できることから、新たな設備を導入する必要がない。磁性部品の組み立て後に着磁工程を入れることができるので、組み立ては容易である。広い面積の振動板は小さい面積のコイルユニットに一面に接着されていることから振動板の曲げ強度が極度に大きくなり品質が安定する。
【図面の簡単な説明】
【００１９】
【図１】本案発明の基本構造の一実施例の説明図  （ａ）上面図、（ｂ）Ａ−Ａ‘  断面、（ｃ）Ｂ−Ｂ‘  断面
【図２】図1円内部の磁束分布の説明図  （ａ）図1の円５１部の拡大図、（ｂ）図1の円５２部の拡大図
【図３】コイルの導体の一実施例の説明図  （ａ）導体が１本の場合、（ｂ）導体が５本の場合
【図４】振動板の構造の一実施例の説明図  （ａ）上面図、（ｂ）Ａ−Ａ‘  断面、    （ｃ）Ｂ−Ｂ‘  断面、（ｄ）背面図、（ｅ）円５３部の拡大図、（ｆ）円５４部の拡大図
【図５】ボイスコイルのリード線の引き出し部の一実施例の説明図  （ａ）折り曲げ前の折れ線、（ｂ）一回目の折り曲げ図、（ｃ）二回折り曲げ後の完成図、（ｄ）巻き始め側面図、（ｅ）巻き終わり側面図
【図６】着磁方法の一実施例の説明図、（ａ）磁極の上面図、（ｂ）Ａ−Ａ‘  側面図、（ｃ）Ｂ−Ｂ‘  側面図
【発明を実施するための最良の形態】
【００２０】
｛図３（ｂ）に示す複数本の導体を有するところの、｛図１（ａ）に示す構造を持つジグザグコイル｝｝と
｛図４に示す｛格子溝付きボイスコイル固定用振動板｝｝と
図６に示す着磁方法によって着磁された｛図1に示す｛組み磁気回路｝｝と
｛図５に示す、ボイスコイルのリード線引き出し構造｝と
によるスピーカーのドライバー
【実施例】
【００２１】
以下、図面を用いた詳細説明。
図１は本案発明の全容を説明する一実施例である。
Ｘ１からＸ８は図面の説明上の横軸の位置、Ｙ１からＹ８は図面の説明上の縦軸の位置を示す。図は、磁極が縦８行、横８列、合計６４個の磁極とコイルユニットからなる駆動力発生の説明図である。
例えば、２１の磁極の中心座標はＸ１Ｙ１、２４の磁極の中心座標はＸ８Ｙ２である。
図１（ａ）は上面図、
図１（ｂ）は図１（ａ）のＡ−Ａ‘断面を示す。
図１（Ｃ）は図１（ａ）のＢ−Ｂ‘断面を示す。
【００２２】
１はジグザグコイル、１０１はその巻き始め、１０２はその巻き終わり、１１と１３と１５の黒丸は巻き方向が図面から見て手前方向、１２と１４と１６の白丸は巻き方向が手前と逆方向、２１はＳ、２２はＮ、２３はＮ、２４はＳ、のそれぞれ、磁極である。磁極は上記４個の他に６０個がある。
３１と３２と３３と３４は垂直磁路である。垂直磁路は上記４個の他に６０個がある。４は平面磁路である。
ジグザグコイルの各コイルユニットの４辺に示す矢印は巻き方向を示す。
【００２３】
コイル材料は巻き始め１０１から始まって、Ｘ１Ｙ２の磁極の2辺を右回りに、次にＸ１Ｙ３の磁極の3辺を左回りに、順次折り曲げながら、最後のＸ１Ｙ１の磁極の３辺を左周りで終了し、１０２の巻き終わりとなる。
ジグザグコイルの磁極を取りまく巻き方向は、磁極がＮ極の場合は全て右回り、磁極がＳ極の場合は全て左周りである。このように、｛ジグザグコイルに流す電流の方向｝と｛ジグザグコイルと交差する磁束の方向｝の積即ち、発生する駆動力が同一方向となるよう、ジグザグコイルと磁極を構成する。
【００２４】
例えば、Ｘ１Ｙ２の磁極Nの周りの４辺について、ジグザグコイルの２辺は連続して繋がってはいるが、他の２辺は繋がってはいるものの連続していない。但し、巻き方向は４辺とも同じ右回りである。Ｘ２Ｙ２の磁極Sの周りの４辺について、ジグザグコイルの４辺は連続して左周りである。Ｘ２Ｙ３の磁極Nの周りの３辺は連続しているものの、他の１辺は連続して繋がっていないが、ジグザグコイルの４辺はすべて右回りである。ｘ１Ｙ１の1辺はコイルが存在しないが、他の3辺は連続していて左周りである。このように、全てのＮ磁極はすべて右回りであって、全てのＳ磁極は左周りである。従って、巻き始めから巻き終わりに向かう電流による駆動力は全てのコイルユニットで平面磁路の反対方向である。
【００２５】
相隣りあう磁極間の空隙には均一な磁界が発生し、ジグザグコイルに流す電流はジグザグコイル全体に均一な駆動力を生む。
起磁力を生む部分は｛磁極、垂直磁路、平面磁路｝のいずれでも差し支えない。
着磁後の組み磁気回路の組み立ては難しい点が多いので、組み立て接着が完了した時点で着磁することによって組み立て工程がより簡素になる。
【００２６】
図２は図１の円で囲った部分｛５１と５２｝の磁極間の磁束分布の説明図である。
図２（ａ）は図1の５１の部分、図２（ｂ）は図１の５２の部分を示す。
２０１は図１のＸ３Ｙ４座標のＮ磁極であり、その四方を｛２０２，２０３、２０４、２０５｝のＳ極が取り囲んでいる。｛２０６、２０７，２０８｝はそれぞれ｛Ｎ、Ｓ、Ｎ｝の磁極である。４は水平磁路である。３０６と３０７と３０８は垂直磁路である。１はジグザグコイルであり、磁極間の磁束と交差する。
矢印は磁力線の方向を示す。上面から見た｛ＮからＳへ向かう磁束｝は４辺間では平行に近いが、４個の磁極のコーナーが集まる空間ではギャップからはみ出るように膨らむ。ジグザグコイルの、この部分での四半円の部分とほぼ直交するのでこの四半円の部分も、効率を大きく落とすことなく、駆動力を生む。
【００２７】
｛２０６と２０７の磁極間の磁束｝は｛３０６と３０７の垂直磁路｝と４の水平磁路を磁路とする磁気ループによって生じる。本案発明の磁気回路は一般のスピーカーの磁気回路のように、大きな一個の磁石からの磁束を導く磁路ではなく、小さい磁石が分散されていることから、断面積の大きい磁路を必要としない。従って、薄い板状の平面磁路で機能させることができることから、薄形のスピーカーに適している。
【００２８】
図３はジグザグコイルの導体の実施例を示す。図１（ａ）は導体が一本の場合の説明
図１、図１（ｂ）は導体が複数本の場合の説明図である。１はジグザグコイルのボビン、１１０はジグザグコイルの導体が一本の場合の導体、１０１は巻き始め、１０２は巻き終わりである。矢印は巻き方向を示す。
１１１、１１２、１１３、１１４、１１５は導体が複数本の場合の第1、２、３、４、５の導体である。｛１１１の巻き終わりは１１２の巻き始めと｝｛１１２の巻き終わりは１１３の巻きはじめと｝｛１１３の巻き終わりは１１４の巻き始めと｝｛１１４の巻き終わりは１１５の巻き始めと｝それぞれ接続し、一本の導体とする。コイルを低インピーダンスとする場合は導体の本数を少なくし、高インピーダンスとする場合は導体の本数を多くする。
【００２９】
図４はジグザグコイルのジグザグ形状の固定化方法の一実施例を示す。
図４（ａ）はジグザグコイルを｛振動板に設けた溝｝に固定化した状態の上面図である。図４（ｂ）はＡ−Ａ‘断面図、図４（ｃ）はＢ−Ｂ’断面図、図４（ｄ）は背面図、図４（ｅ）は（ａ）の５３の円で囲った部分の拡大図、図４（ｆ）は図（ｂ）の５４の円で囲った部分の拡大図である。
１はジグザグコイル、６は｛格子溝付きボイスコイル固定用振動板｝、６１はジグザグコイルのエッジ部をはめ込むために設けた溝、６２はその溝の断面形状である。ジグザグコイルは材料が薄い帯状であることから、形状が不安定である。振動板も同様、板というよりは膜に近い形状であることから平面を保つことができない。振動板に、溝が縦横に設けられることで強度が増す上、｛溝にジグザグコイルをはめ込み｝、一体化することで、強力な振動板となる。ジグザグコイルのエッジが｛格子溝付きボイスコイル固定用振動板｝の溝６１にはめ込まれ、接着されることで、｛ジグザグコイルの寸法形状｝と｛振動板の曲げ強度｝が飛躍的に安定化する。結果、ジグザグコイルが磁極間の空隙に高精度で収めることができ、磁極との精密な相対位置関係が保たれ、信頼度が増す。また、振動板の剛性が広い範囲で確保されることから良好な再生特性が得られる。
【００３０】
図５はジグザグコイルからリード線を引き出しやすくするための一実施例の説明図で
ある。
図５（ａ）はジグザグコイルの両端の折り目を示す。図５（ｂ）は第一回目の折り目を折り曲げた状態を示す。図５（ｃ）は第2回目の折り目を折り曲げた状態を示す。図５（ｄ）は（ｃ）の左側面図、図５（ｅ）は（ｃ）の右側面図を示す。
この状態で、ジグザグコイルの両端の面は、｛第４図に示す、振動板の面｝と平行となることから、端子を、振動板に、面どうしで接着することができる。結果、リード線を引き出し安い形状となる。帯状コイルからリード線の引き出しは実用的な製品を作る上で極めて重要である。１はジグザグコイル、１０１は巻き始め、１０２は巻き終わり、１３１，１３２は導体の引き出し線、
１２１と１２２は｛１８０度の曲げ角度用｝の４５度の折り目、１２３と１２４は｛９０度の曲げ角度用｝の９０度の折り目である。
【００３１】
図６は磁気回路の着磁方法の一実施例の説明図であり、図１の６４個の磁極の、縦の
８個の磁極、即ち、４個の磁極対に起磁力を加え、組み磁気回路の磁石のＸ８軸のＹ１からＹ８を一度に着磁する場合の実施例を示す。
図６（ａ）は磁極の上面図である。図６（ｂ）は磁路のＡ−Ａ‘方向から見た図で｛磁路と｛着磁のための起磁力発生部｝｝の関係を示す。図６（ｃ）は磁路のＢ−Ｂ’方向から見た図で、｛磁路と｛着磁のための起磁力発生部｝｝の関係を示す。
Ｘ１からＸ８は図１と同様、横軸の座標を示す。Ｙ１からＹ８は図１と同様、縦軸の座標を示す。
【００３２】
２１、２２  は図１の同番号の磁極である。３１、３２，は図１の同番号の垂直磁路である。
３１１、３１２，３２１、３２２、３３１、３３２、３４１，３４２、はそれぞれ、図１の｛Ｘ８軸｝の｛Ｙ１からＹ８軸｝に対応する垂直磁路である。
２１１、２１２，２２１、２２２、２３１、２３２、２４１，２４２、はそれぞれ、図１の｛Ｘ８軸｝の｛Ｙ１からＹ８軸｝に対応する磁極である。
７１、７２、７３、７４、は着磁ヨークである。
８１、８２、８３、８４、は着磁コイルである。
着磁コイルの矢印は｛Ｘ８軸｝に着磁する場合の電流の方向を示す。
｛Ｘ２軸、Ｘ４軸、Ｘ６軸｝に着磁する場合の電流方向はＸ８軸と同じである。
｛Ｘ１軸、Ｘ３軸、Ｘ５軸、Ｘ７軸｝に着磁する場合の電流方向はＸ８軸と逆である。
【００３３】
図４の場合、４対一組で8回の着磁工程であるが、｛1対一組で３６回の着磁｝、あるいは、｛１６対一組で2回の着磁｝、あるいは、｛３６対一組で１回の着磁｝など、着磁設備と生産効率の条件により、任意に選択できる。
着磁の原理については、本案発明の本質ではないので説明を省略する。本案発明の本質は、平面磁路の上に組み立てられた垂直磁路と磁極を、相隣りあう磁極が逆の磁極を持つよう、着磁することにある。
磁化させる磁性体は｛磁極、垂直磁路、平面磁路｝の内｛いずれか一種類、または、いずれか二種類、または全て｝のいずれかである。いずれを着磁するかは、要求される｛磁気ギャップの磁束密度、組磁石のコスト、組磁石の寸法形状、組磁石の強度｝などの条件によって最良の方法を選択する。
【符号の説明】
【００３４】
Ｘ１、Ｘ２、Ｘ３、Ｘ４、Ｘ５、Ｘ６、Ｘ７、Ｘ８  図面の横軸の位置
Ｙ１、Ｙ２、Ｙ３、Ｙ４、Ｙ５、Ｙ６、Ｙ７、Ｙ８  図面の縦軸の位置
１  ジグザグコイル
１０１  巻き始め
１０２  巻き終わり
１００１  巻き方向
１１、１３、１５  巻き方向が図面から見て手前方向
１２、１４、１６  巻き方向が手前と逆方向
２１、２４  S磁極
２２、２３  N磁極
３１、３２、３３、３４  垂直磁路
４  水平磁路
５１、５２  拡大図のエリア
２０１、２０６、２０８  Ｎ磁極
２０２，２０３、２０４、２０５、２０７  Ｓ磁極
３０６、３０７、３０８  垂直磁路
１１０  ジグザグコイルの導体一本の場合の導体
１１１、１１２、１１３、１１４、１１５  導体が複数本の場合の導体
５３、５４  拡大図のエリア
６  格子溝付きボイスコイル固定用振動板
６１  溝
６２  溝の断面図
１３１、１３２  導体の引き出し線
１２１、１２２  ｛１８０度の曲げ角度用｝の４５度の折り目
１２３、１２４  ｛９０度の曲げ角度用｝の９０度の折り目
３１１、３１２，３２１、３２２、３３１、３３２、３４１，３４２  垂直磁路
２１１、２１２，２２１、２２２、２３１、２３２、２４１，２４２  磁極
７１、７２、７３、７４  着磁ヨーク
８１、８２、８３、８４  着磁のための電流コイル
【図１】
2013187661.tif 000003
【図２】
2013187661.tif 000004
【図３】
2013187661.tif 000005
【図４】
2013187661.tif 000006
【図５】
2013187661.tif 000007
【図６】
2013187661.tif 000008